(57)【特許請求の範囲】
【請求項１】
電気機器収納用箱体を支柱に取り付けるための支柱用箱体取付部材であって、
左右方向へ長い帯状の金属板の上下部を共に前方へ略直角に折り曲げて、側面視コ字状に成形してなり、
折り曲げられていない中央部を、前記電気機器収納用箱体を固定するための固定部とする一方、
上側の折り曲げ部の前縁に、半長円状の第１の切り欠きを形成するとともに、下側の折り曲げ部の前縁で前記第１の切り欠きと対向する位置に、前記第１の切り欠きと同形状の第２の切り欠きを形成し、
さらに、前記第１の切り欠き及び前記第２の切り欠きを挟むように、一対のピンを、前記上側の折り曲げ部と前記下側の折り曲げ部とに架け渡しており、
前記一対のピンと前記固定部との間の空間にベルトを挿通させ、前記左右方向が前記支柱の軸方向と直交する姿勢で前記第１の切り欠き及び前記第２の切り欠きの開口両端部を前記支柱の外周面に当接させ、前記ベルトを前記支柱に巻回させることにより前記支柱へ締着されることを特徴とする支柱用箱体取付部材。
【発明の詳細な説明】
【技術分野】
【０００１】
本発明は、配電用機器等を収納可能な電気機器収納用箱体をコンクリート柱等の支柱へ取り付けるための支柱用箱体取付部材に関するものである。
【背景技術】
【０００２】
従来、電気機器収納用箱体をコンクリート柱等の支柱へ取り付けるための支柱用箱体取付部材としては、たとえば特許文献１に開示されているようなものがある。この支柱用箱体取付部材は、左右方向へ長い金属板の左右両部を対向するように前方へ折り曲げてコ字状としたものであって、折り曲げられていない中央部には、電気機器収納用箱体を固定可能なボルト孔が設けられ、各折り曲げ部の基端側には、支柱用箱体取付部材を支柱に締着するためのベルトを挿通可能なベルト孔が設けられている。そして、該支柱用箱体取付部材は、中央部の後面に電気機器収納用箱体をボルトで固定した後、板状の折り曲げ部の端面を支柱の軸方向と平行に支柱の外周面に当接させ、ベルト孔に挿通させたベルトで支柱へ締着することにより、電気機器収納用箱体を支柱へ取り付け可能となっている。
また、上記コ字状ではなく、扁平なＭ字状に折り曲げ形成された折り曲げ部を有する金属板からなる支柱用箱体取付部材もある。この支柱用箱体取付部材では、Ｍ字状に折り曲げることで形成される２箇所の突出部を支柱の外周面に当接させた姿勢で、ベルトにより支柱へ締着されることになる。
【先行技術文献】
【特許文献】
【０００３】
【特許文献１】特開２０００−３１５８７０号公報
【発明の概要】
【発明が解決しようとする課題】
【０００４】
しかしながら、上記従来の支柱用箱体取付部材によれば、金属板に一々ベルト孔を穿設しなければならない等、製造が煩わしいという問題がある。特に、Ｍ字状に折り曲げる支柱用箱体取付部材では、Ｍ字に折り曲げるといった製造工程に非常に時間がかかっていた。
また、支柱用箱体取付部材を支柱へ締着するにあたっては、締着後に支柱用箱体取付部材が支柱に沿って位置ズレしないように、支柱用箱体取付部材に対し支柱の外周面へ押し付けられる方向へかなり強い力がかけられる。しかしながら、上記特許文献１に記載の支柱用箱体取付部材によれば、折り曲げた板状部の端面を支柱の軸方向と平行に支柱の外周面に当接させているため、締着時に折り曲げ部が支柱の円周方向へ沿って開く、すなわち左右外側へ傾倒してしまうおそれがあるという課題を有していた。
【０００５】
そこで、本発明は、上記問題に鑑みなされたものであって、製造が容易であり、且つ、支柱への締着時に変形等をきたすこともない支柱用箱体取付部材を提供しようとするものである。
【課題を解決するための手段】
【０００６】
上記目的を達成するために、本発明のうち請求項１に記載の発明は、電気機器収納用箱体を支柱に取り付けるための支柱用箱体取付部材であって、左右方向へ長い帯状の金属板の上下部を共に前方へ略直角に折り曲げて、側面視コ字状に成形してなり、折り曲げられていない中央部を、前記電気機器収納用箱体を固定するための固定部とする一方、上側の折り曲げ部の前縁に、半長円状の第１の切り欠きを形成するとともに、下側の折り曲げ部の前縁で前記第１の切り欠きと対向する位置に、前記第１の切り欠きと同形状の第２の切り欠きを形成し、さらに、前記第１の切り欠き及び前記第２の切り欠きを挟むように、一対のピンを、前記上側の折り曲げ部と前記下側の折り曲げ部とに架け渡しており、前記一対のピンと前記固定部との間の空間にベルトを挿通させ、前記左右方向が前記支柱の軸方向と直交する姿勢で前記第１の切り欠き及び前記第２の切り欠きの開口両端部を前記支柱の外周面に当接させ、前記ベルトを前記支柱に巻回させることにより前記支柱へ締着されることを特徴とする。
【発明の効果】
【０００７】
本発明によれば、左右方向へ長い帯状の金属板の上下部を共に前方へ略直角に折り曲げて、側面視コ字状に成形するとともに、上側の折り曲げ部と下側の折り曲げ部とにピンを架け渡すことにより、締着用のベルトを挿通させるための空間を形成している。したがって、従来の如く、ベルト挿通孔を穿設する必要がなく、製造が容易である。
また、上側の折り曲げ部及び下側の折り曲げ部の前縁に半長円状の切り欠きを形成することによって、その開口両端部を、支柱への締着時に支柱の外周面に当接して回り止めとなる支点としている。したがって、Ｍ字状に折り曲げるような従来のものと比較すると、支点の形成が容易であるし、従来の如く締着時に支柱の円周方向へ支点が開くような変形をおこすこともない。
さらに、切り欠きを半長円状としているため、支点となる開口端部周縁の変形に対する強度等を向上することができるし、切り欠きの形状が簡素であるため、該切り欠きの形成も容易となる。
【図面の簡単な説明】
【０００８】
【図１】支柱用箱体取付部材への電気機器収納用箱体の取り付けを示した説明図である。
【図２】支柱用箱体取付部材を前方から示した説明図である。
【図３】支柱用箱体取付部材を側方から示した説明図である。
【図４】（ａ）は支柱用箱体取付部材を上方から示した説明図であり、（ｂ）は支柱用箱体取付部材を下方から示した説明図である。
【図５】支柱用箱体取付部材の支柱への締着を示した説明図である。
【図６】締着状態にある支柱用箱体取付部材を支柱の軸方向から示した説明図である。
【発明を実施するための形態】
【０００９】
以下、本発明の一実施形態となる支柱用箱体取付部材（以下、単に取付部材と称す）について、図面にもとづき詳細に説明する。
【００１０】
図１は、取付部材１、１への電気機器収納用箱体２１の取り付けを示した説明図である。また、図２は、取付部材１を前方から示した説明図であり、図３は、取付部材１を側方から示した説明図である。さらに、図４（ａ）は、取付部材１を上方から示した説明図であり、図４（ｂ）は、取付部材１を下方から示した説明図である。
【００１１】
取付部材１は、厚さ１．５ｍｍの左右方向へ長い帯状のステンレス製金属板の上下部を共に前方へ略直角に折り曲げて、側面視コ字状に成形されたものであって、本実施形態では、折り曲げられていない中央部を固定部２、上方の折り曲げ部を天井部３、下方の折り曲げ部を底部４と称す。そして、該取付部材１の左右長さは４９０ｍｍ、固定部２の上下長さ（天井部３及び底部４の厚みを含む）は３５ｍｍ、天井部３及び底部４の前後長さ（すなわち、折り曲げ長さ）は３５ｍｍとなっている。
【００１２】
固定部２は、図１に示す如く、その後面に電気機器収納用箱体２１がネジ２２、２２により固定される部位であって、左右両端部にはネジ２２が挿通可能な直径５ｍｍの挿通孔５が夫々穿設されている。尚、２３は、電気機器収納用箱体に設けられたネジ孔である。
また、天井部３の前縁部の略中央となる位置には、左右幅が４０ｍｍとなる半長円状の切り欠き６が設けられている。該切り欠き６は、半径１０ｍｍの１／４円弧状部と該円弧状部同士を結ぶ２０ｍｍの直線状部とからなる。そして、該切り欠き６の開口両端部が、支柱Ｐ（図５に示す）へ締着する際に支柱Ｐの外周面に当接して回り止めの支点６ａ、６ａとなる。また、切り欠き６の左右両外側となる位置には、ピン孔（図示せず）が設けられている。尚、ピン孔同士の左右方向での間隔は８０ｍｍとなっている。
【００１３】
一方、底部４の前縁部の略中央であって、上記切り欠き６と対向する位置には、同じ左右幅を有する半円状の切り欠き７が設けられており、該切り欠き７の開口両端部も同様に回り止めの支点７ａ、７ａとなる。また、底部４の天井部３のピン孔と対向する位置にも同様のピン孔（図示せず）が設けられている。そして、天井部３及び底部４のピン孔を貫通するように、ベルト掛止ピン１１、１１が天井部３側から挿通され、底部４の底面側から装着される抜け止めリングにより抜け止めされている。したがって、ベルト掛止ピン１１、１１の後方に形成される空間、すなわちベルト掛止ピン１１、１１と固定部２の前面との間の空間がベルトＢ（図５に示す）を挿通させるための空間となる。尚、１１ａはベルト掛止ピン１１のピンヘッドであって、ベルト掛止ピン１１はピンヘッド１１ａを天井部３の上面に当接した状態で固着される。
【００１４】
上記構成を有する取付部材１を用いた電気機器収納用箱体２１の支柱Ｐへの取り付けについて、図５及び図６をもとに説明する。図５は、取付部材１、１の支柱Ｐへの締着を示した説明図であり、図６は、締着状態にある取付部材１を支柱Ｐの軸方向から示した説明図である。
まず、ネジ２２を利用して取付部材１の後面に電気機器収納用箱体２１を固定する。次に、ベルトＢをベルト掛止ピン１１、１１の後方空間にベルトＢを挿通させるとともに、自身の左右方向が支柱Ｐの軸方向と直交するような姿勢で、切り欠き６、７の開口両端部（すなわち支点６ａ、７ａ）を支柱Ｐの外周面に当接させる。そして、その姿勢のままベルトＢを支柱Ｐに巻回させて取付部材１を支柱Ｐに締着することにより、電気機器収納用箱体２１は取付部材１を介して支柱Ｐに取り付けられる。
【００１５】
上述したような取付部材１によれば、左右方向へ長い帯状の金属板の上下部を共に前方へ略直角に折り曲げて、側面視コ字状に成形するとともに、天井部３と底部４とにベルト掛止ピン１１、１１を架設することにより、ベルトＢを挿通させるための空間を形成している。したがって、従来の如く、ベルト挿通孔を穿設する必要がなく、製造が容易である。
また、天井部３及び底部４の前縁に半長円状の切り欠き６、７を形成することによって、その開口両端部を、支柱Ｐへの締着時に支柱Ｐの外周面に当接して回り止めとなる支点６ａ、７ａとしている。したがって、Ｍ字状に折り曲げるような従来のものと比較すると、支点６ａ、７ａの形成が容易であるし、従来の如く締着時に支柱Ｐの円周方向へ支点６ａ、６ａ（又は７ａ、７ａ）が開くような変形をおこすこともない。
さらに、切り欠き６、７を矩形状としても支点を形成することはできるものの、半長円状とすることにより、矩形状にした場合よりも支点６ａ、７ａ周縁部の変形に対する強度を向上することができるし、切り欠き６、７の形状を簡素な形状としているため、該切り欠き６、７の形成も容易となる。
加えて、切り欠き６、７を半円状としても支点を形成することはできるものの、直径４０ｍｍの半円状の切り欠きを天井部３や底部４に形成すると切り欠き面積が大きくなるため、天井部３や底部４の強度が低下するおそれがある。しかしながら、上記実施形態では、切り欠き６、７を半長円状としているため、天井部３や底部４の強度低下を抑制することができる。
【００１６】
なお、本発明に係る取付部材は、上記実施形態の態様に何ら限定されるものではなく、寸法や各部位の形状、電気機器収納用箱体の固定に係る構成等を、本発明の趣旨を逸脱しない範囲で、必要に応じて適宜変更することができる。
【００１７】
たとえば、上記実施形態では、取付部材の左右長さや上下長さ等を明記しているが、該寸法に何ら限定されることはなく、支柱の径、固定される電気機器収納用箱体の重量等に応じて、左右長さや上下長さは勿論、切り欠きの左右幅等についても適宜設計変更可能である。
また、上記実施形態では、固定部に挿通孔を２箇所設けているが、３箇所以上形成しても何ら問題はない。
さらに、上記実施形態では、１つの電気機器収納用箱体に対して２つの取付部材を用いているが、電気機器収納用箱体の大きさ等に応じて、１つの電気機器収納用箱体を取り付けるに際して１つの取付部材で対応しても良いし、３つ以上の取付部材を用いても当然良い。
加えて、上記実施形態ではステンレス製の金属板を採用しているが、取付部材の材質に関しても十分に強度のある金属（たとえば、スチール等）であれば当然採用可能である。
【符号の説明】
【００１８】
１・・支柱用箱体取付部材、２・・固定部（中央部）、３・・天井部（上側の折り曲げ部）、４・・底部（下側の折り曲げ部）、５・・挿通孔、６、７・・切り欠き、６ａ、７ａ・・支点（開口端部）、１１・ベルト掛止ピン、２１・・電気機器収納用箱体、２２・・ネジ、Ｂ・・ベルト、Ｐ・・支柱。
【図１】
0005416621.tif 000002
【図２】
0005416621.tif 000003
【図３】
0005416621.tif 000004
【図４】
0005416621.tif 000005
【図５】
0005416621.tif 000006
【図６】
0005416621.tif 000007